(57)【特許請求の範囲】
【請求項１】
時刻の時レベルに対応する数字を含む表示、時刻の分レベルに対応する数字を含む表示及び、時刻の秒レベルに対応する数字を含む表示が、一列に並んで表示され、
時刻の秒レベルに対応する数字を含む表示が、時刻の１秒が経過する時間に対応して、数字の５９を含む表示へ１つずつ大きな数字を含む表示に変更され、
引き続く時刻の１秒が経過する時間に対応して、時刻の分レベルに対応する数字を含む表示がそれまで表示されていた数字よりも１だけ大きな数字を含む表示に変更されると共に、時刻の秒レベルに対応する数字を含む表示が数字の０を含む表示へ変更され、
引き続いて、時刻の秒レベルに対応する数字を含む表示が、時刻の１秒が経過する時間に対応して、数字の５９を含む表示へ１つずつ大きな数字を含む表示に変更される時刻表示システムであって、
時刻の分レベルに対応する数字を含む表示が、時刻の１分が経過する時間に対応して、数字の５９を含む表示へ１つずつ大きな数字を含む表示に変更され、
引き続く時刻の１分が経過する時間に対応して、時刻の時レベルに対応する数字を含む表示がそれまで表示されていた数字よりも１だけ大きな数字を含む表示に変更されると共に、時刻の分レベルに対応する数字を含む表示が数字の０を含む表示へ変更され、
引き続いて、時刻の分レベルに対応する数字を含む表示が、時刻の１分が経過する時間に対応して、数字の５９を含む表示へ１つずつ大きな数字を含む表示に変更され、
時刻の時レベルに対応する数字を含む表示が数字の２３を含む表示で、時刻の分レベルに対応する数字を含む表示が数字の５９を含む表示で、時刻の秒レベルに対応する数字を含む表示が数字の５９である時から、時刻の１秒が経過すると、時刻の時レベルに対応する数字を含む表示が数字の０を含む表示へ変更され、時刻の分レベルに対応する数字を含む表示が数字の０を含む表示に変更され、時刻の秒レベルに対応する数字を含む表示が数字の０を含む表示へ変更され、
引き続いて、時刻の秒レベルに対応する数字を含む表示が、時刻の１秒が経過する時間に対応して、数字の５９を含む表示へ１つずつ大きな数字を含む表示に変更され、
前記一列に並んで表示される、時刻の時レベルに対応する数字を含む表示、時刻の分レベルに対応する数字を含む表示及び、時刻の秒レベルに対応する数字を含む表示は、それぞれ共通する背景の上に前記数字を含む表示が行われるものであって、
前記共通する背景が本を開いた状態であり、時刻の秒レベルに対応する数字を含む表示の前記時刻の１秒が経過する時間に対応して数字の５９を含む表示へ１つずつ大きな数字を含む表示への変更、時刻の分レベルに対応する数字を含む表示の前記時刻の１分が経過する時間に対応して数字の５９を含む表示へ１つずつ大きな数字を含む表示への変更、時刻の時レベルに対応する数字を含む表示のそれまで表示されていた数字よりも１だけ大きな数字を含む表示への変更の中の少なくとも一つは、人間の手が本のページをめくる動作によって行われるものであることを特徴とする時刻表示システム。
【請求項２】
前記数字を含む表示は、デフォルメされた数字、当該数字で表示される時刻に対応する画像と数字との組み合わせ、模様あるいは図面との数字の組み合わせ、からなることを特徴とする請求項１記載の時刻表示システム。
【発明の詳細な説明】
【技術分野】
【０００１】
この発明は時刻表示システムに関し、特に、興趣の高められた時刻表示を行うことに適した時刻表示システムに関する。
【背景技術】
【０００２】
従来から、画像を有効に活用して時刻を表示することにより興趣の高められた時刻表示を行う装置、システムが提案されている（例えば、特許文献１、２）。
【０００３】
特許文献１の提案は、アナログ時計の時針や分針などの画像を有効に活用しようとするものである。
【０００４】
特許文献２の提案は、時刻の各桁（時、分、秒）の値を表示して時刻を表示すると共に、時刻の各桁の値を当該値に対応付けられている切り抜き動画像により表示するものである。
【先行技術文献】
【特許文献】
【０００５】
【特許文献１】特開２０１０−２４３３３４号公報
【特許文献２】特開２０１２−９３２７０号公報
【発明の開示】
【発明が解決しようとする課題】
【０００６】
この発明は、興趣の高められた時刻表示を行うことに適した時刻表示システムであって、時刻表示が行われている表示画面が見ている者の興味を引き、時刻表示が行われている表示画面そのものが創意・工夫にあふれた観賞の対象となり得る時刻表示システムを提案することを目的にしている。
【課題を解決するための手段】
【０００７】
この発明が提案する時刻表示システムは、
時刻の時レベルに対応する数字を含む表示、時刻の分レベルに対応する数字を含む表示及び、時刻の秒レベルに対応する数字を含む表示が、一列に並んで表示され、
時刻の秒レベルに対応する数字を含む表示が、時刻の１秒が経過する時間に対応して、数字の５９を含む表示へ１つずつ大きな数字を含む表示に変更され、
引き続く時刻の１秒が経過する時間に対応して、時刻の分レベルに対応する数字を含む表示がそれまで表示されていた数字よりも１だけ大きな数字を含む表示に変更されると共に、時刻の秒レベルに対応する数字を含む表示が数字の０を含む表示へ変更され、
引き続いて、時刻の秒レベルに対応する数字を含む表示が、時刻の１秒が経過する時間に対応して、数字の５９を含む表示へ１つずつ大きな数字を含む表示に変更される
ものである。
【発明の効果】
【０００８】
この発明によれば、興趣の高められた時刻表示を行うことに適した時刻表示システムであって、時刻表示が行われている表示画面が見ている者の興味を引き、時刻表示が行われている表示画面そのものが創意・工夫にあふれた観賞の対象となり得る時刻表示システムを提供することができる。
【図面の簡単な説明】
【０００９】
【図１】本発明の一実施形態を表す参考写真であって、午前７時１８分５秒に対応している時刻表示の一例が画面表示されている参考写真。
【図２】本発明の一実施形態を表す参考写真であって、午前７時２３分１１秒に対応している時刻表示の一例が画面表示されている参考写真。
【図３】本発明の一実施形態を表す参考写真であって、午前７時３６分４０秒に対応している時刻表示の一例が画面表示されている参考写真。
【図４】本発明の一実施形態を表す参考写真であって、午前７時４２分４０秒に対応している時刻表示の一例が画面表示されている参考写真。
【図５】本発明の一実施形態を表す参考写真であって、午前７時４６分５２秒に対応している時刻表示の一例が画面表示されている参考写真。
【図６】本発明の一実施形態を表す参考写真であって、午前７時４７分７秒に対応している時刻表示の一例が画面表示されている参考写真。
【図７】本発明の一実施形態を表す参考写真であって、午前８時２２分５０秒に対応している時刻表示の一例が画面表示されている参考写真。
【図８】本発明の一実施形態を表す参考写真であって、午前９時２２分５０秒に対応している時刻表示の一例が画面表示されている参考写真。
【図９】本発明の一実施形態を表す参考写真であって、１２時２２分５０秒に対応している時刻表示の一例が画面表示されている参考写真。
【図１０】本発明の一実施形態を表す参考写真であって、午後１時２２分５０秒に対応している時刻表示の一例が画面表示されている参考写真。
【図１１】本発明の一実施形態を表す参考写真であって、午後２時２２分５０秒に対応している時刻表示の一例が画面表示されている参考写真。
【図１２】本発明の一実施形態を表す参考写真であって、午後３時２２分５０秒に対応している時刻表示の一例が画面表示されている参考写真。
【図１３】本発明の一実施形態を表す参考写真であって、午後１０時１８分２７秒に対応している時刻表示の一例が画面表示されている参考写真。
【図１４】本発明の一実施形態を表す参考写真であって、午後１０時２３分４１秒に対応している時刻表示の一例が画面表示されている参考写真。
【図１５】本発明の一実施形態を表す参考写真であって、午後１０時３５分２８秒に対応している時刻表示の一例が画面表示されている参考写真。
【図１６】本発明の一実施形態を表す参考写真であって、午後１０時４２分３０秒に対応している時刻表示の一例が画面表示されている参考写真。
【図１７】本発明の一実施形態を表す参考写真であって、午後１０時４６分５２秒に対応している時刻表示の一例が画面表示されている参考写真。
【図１８】本発明の一実施形態を表す参考写真であって、午後１０時４７分２８秒に対応している時刻表示の一例が画面表示されている参考写真。
【図１９】本発明の一実施形態を表す参考写真であって、午後１１時４２分２０秒に対応している時刻表示の一例が画面表示されている参考写真。
【図２０】本発明の一実施形態を表す参考写真であって、午前０時４２分２０秒に対応している時刻表示の一例が画面表示されている参考写真。
【図２１】本発明の一実施形態を表す参考写真であって、午前０時４２分２０秒に対応している時刻表示の他の例が画面表示されている参考写真。
【図２２】本発明の一実施形態を表す参考写真であって、午前１時４２分２０秒に対応している時刻表示の一例が画面表示されている参考写真。
【発明を実施するための形態】
【００１０】
添付図面を参照して、この発明の実施形態を説明する。
【００１１】
この発明の、時刻表示システムにおいては、図１に図示するように、時刻の時レベルに対応する数字を含む表示、時刻の分レベルに対応する数字を含む表示及び、時刻の秒レベルに対応する数字を含む表示が、一列に並んで表示されている。
【００１２】
時刻の時レベルに対応する数字を含む表示は、一日の２４時間に対応して、例えば、「００」から「０１」、「０２」「０３」、・・・・、「２２」、「２３」などという数字を含む表示が順番に表示されるものである。
【００１３】
すなわち、時刻の時レベルに対応する数字を含む表示は、一日の０時から２４時までの各時間を表示するものであり、午前０時台を「００」と表示したり、午後１時台を「１３」と表示したりするものである。このように時間帯を表示できるものであれば、午後３時が「１５」と数字で表示されるだけでなく、「おやつ」や「お茶」のような午後３時を認識させる絵・図柄と数字「５」を組み合わせて、午後３時の時間帯であることを認識させる表示も、本発明における「時刻の時レベルに対応する数字を含む表示」である。
【００１４】
時刻の分レベルに対応する数字を含む表示は、一時間の６０分に対応して、例えば、「００」から「０１」、「０２」「０３」、・・・・、「５８」、「５９」などという数字を含む表示が順番に表示されるものである。
【００１５】
ここでも、時刻の分レベルに対応する数字を含む表示は、一時間の６０分における０分から６０分までの各分を表示するものであり、０分台を「００」と表示したり、３０分台を「３０」と表示したりするものである。このように何分台であるかを表示できるものであれば、４０分台が「４０」と数字で表示されるだけでなく、数字の「０」がデフォルメされて数字の「４」の右側に現れていて４０分台であることを認識させる表示も、本発明における「時刻の分レベルに対応する数字を含む表示」である。
【００１６】
時刻の秒レベルに対応する数字を含む表示は、一分の６０秒に対応して、例えば、「００」から「０１」、「０２」「０３」、・・・・、「５８」、「５９」などという数字を含む表示が順番に表示されるものである。
【００１７】
ここでも、時刻の秒レベルに対応する数字を含む表示は、一分間の６０秒における０秒から６０秒までの各秒を表示するものであり、０秒台を「００」と表示したり、３０秒台を「３０」と表示したりするものである。このように何秒台であるかを表示できるものであれば、４０秒台が「４０」と数字で表示されるだけでなく、数字の「０」がデフォルメされて数字の「４」の右側に現れていて４０秒台であることを認識させる表示も、本発明における「時刻の秒レベルに対応する数字を含む表示」である。
【００１８】
図１図示の実施形態では、液晶表示などによる表示画面において、左側に時刻の時レベルに対応する数字を含む表示、中央に、時刻の分レベルに対応する数字を含む表示、右側に、時刻の秒レベルに対応する数字を含む表示が、横一列に並んで表示されている。
【００１９】
これに替えて、時刻の時レベルに対応する数字を含む表示、時刻の分レベルに対応する数字を含む表示及び、時刻の秒レベルに対応する数字を含む表示が、縦一列に並んで表示されるようにすることもできるし、斜め方向に一列に並んで表示されるようにすることもできる。
【００２０】
いずれにしても、時刻の分レベルに対応する数字を含む表示が中央になって、このどちらか一方の隣に、時刻の時レベルに対応する数字を含む表示が、このどちらか他方の隣に、時刻の秒レベルに対応する数字を含む表示が表示されることになる。
【００２１】
この実施形態の時刻表示システムにおいては、時刻の秒レベルに対応する数字を含む表示が、時刻の１秒が経過する時間に対応して、数字の５９を含む表示へ１つずつ大きな数字を含む表示に変更されていく。
【００２２】
そして、引き続く時刻の１秒が経過する時間に対応して、時刻の分レベルに対応する数字を含む表示がそれまで表示されていた数字よりも１だけ大きな数字を含む表示に変更されると共に、時刻の秒レベルに対応する数字を含む表示が数字の０を含む表示、例えば、数字の０を並べて二つ含む「００」という表示へ変更される。
【００２３】
更に、引き続いて、時刻の秒レベルに対応する数字を含む表示が、時刻の１秒が経過する時間に対応して、数字の５９を含む表示へ１つずつ大きな数字を含む表示に変更される。
【００２４】
これによって、あたかもデジタル表示されるかのごとく、時刻の秒レベルに対応する数字を含む表示が、時刻の１秒が経過する時間に対応して、数字の０を含む表示、例えば、数字の０を並べて二つ含む「００」という表示から、数字の５９を含む表示へ１つずつ大きな数字を含む表示に変更される。
【００２５】
また、この実施形態の時刻表示システムにおいては、時刻の分レベルに対応する数字を含む表示が、時刻の１分が経過する時間に対応して、数字の５９を含む表示へ１つずつ大きな数字を含む表示に変更される。
【００２６】
そして、引き続く時刻の１分（６０秒）が経過する時間に対応して、時刻の時レベルに対応する数字を含む表示がそれまで表示されていた数字よりも１だけ大きな数字を含む表示に変更されると共に、時刻の分レベルに対応する数字を含む表示が数字の０を含む表示、例えば、数字の０を並べて二つ含む「００」という表示へ変更される。
【００２７】
更に、引き続いて、時刻の分レベルに対応する数字を含む表示が、時刻の１分が経過する時間に対応して、数字の０を含む表示、例えば、数字の０を並べて二つ含む「００」という表示から、数字の５９を含む表示へ１つずつ大きな数字を含む表示に変更される。
【００２８】
これによって、あたかもデジタル表示されるかのごとく、時刻の分レベルに対応する数字を含む表示が、時刻の１分が経過する時間に対応して、数字の５９を含む表示へ１つずつ大きな数字を含む表示に変更される。
【００２９】
同様に、あたかもデジタル表示されるかのごとく、時刻の時レベルに対応する数字を含む表示が、時刻の１時間（６０分）が経過する時間に対応して、数字の２３を含む表示へ１つずつ大きな数字を含む表示に変更される。
【００３０】
そして、時刻の時レベルに対応する数字を含む表示が数字の２３を含む表示で、時刻の分レベルに対応する数字を含む表示が数字の５９を含む表示で、時刻の秒レベルに対応する数字を含む表示が数字の５９である時から、時刻の１秒が経過すると、時刻の時レベルに対応する数字を含む表示が数字の０を含む表示、例えば、数字の０を並べて二つ含む「００」という表示になり、時刻の分レベルに対応する数字を含む表示が数字の０を含む表示、例えば、数字の０を並べて二つ含む「００」という表示になり、時刻の秒レベルに対応する数字を含む表示が数字の０を含む表示、例えば、数字の０を並べて二つ含む「００」という表示へ変更される。
【００３１】
更に、引き続いて、時刻の秒レベルに対応する数字を含む表示が、時刻の１秒が経過する時間に対応して、数字の５９を含む表示へ１つずつ大きな数字を含む表示に変更される。
【００３２】
この実施形態の時刻表示システムにおいては、前記一列に並んで表示される、時刻の時レベルに対応する数字を含む表示、時刻の分レベルに対応する数字を含む表示及び、時刻の秒レベルに対応する数字を含む表示は、それぞれ共通する背景の上に前記数字を含む表示が行われる。
【００３３】
例えば、図１図示のように、本を開いた状態が共通する背景となり、この共通する背景である本を開いた状態に、時刻の秒レベルに対応する数字を含む表示の前記時刻の１秒が経過する時間に対応して数字の５９を含む表示へ１つずつ大きな数字を含む表示への変更、時刻の分レベルに対応する数字を含む表示の前記時刻の１分が経過する時間に対応して数字の５９を含む表示へ１つずつ大きな数字を含む表示への変更、時刻の時レベルに対応する数字を含む表示のそれまで表示されていた数字よりも１だけ大きな数字を含む表示への変更が表示されるようにすることができる。
【００３４】
この際、時刻の秒レベルに対応する数字を含む表示の前記時刻の１秒が経過する時間に対応して数字の５９を含む表示へ１つずつ大きな数字を含む表示への変更、時刻の分レベルに対応する数字を含む表示の前記時刻の１分が経過する時間に対応して数字の５９を含む表示へ１つずつ大きな数字を含む表示への変更、時刻の時レベルに対応する数字を含む表示のそれまで表示されていた数字よりも１だけ大きな数字を含む表示への変更の中の少なくとも一つは、人間の手が本のページをめくる動作によって行われるものとすることができる。
【００３５】
例えば、図１では、時刻の秒レベルに対応する数字を含む表示が「５秒」を示している状態で、本を開いた状態の右側のページに数字の「５」、左側のページに数字の「０」が表示されている。
【００３６】
そして、時刻の１秒が経過する時間に対応して、「６秒」を示すように変更させるべく、人間の手が、左側のページをめくろうとしている。
【００３７】
図３では、人間の手が、左側のページを右側にめくったことにより、本を開いた状態の左側のページに数字の「４」、右側のページに数字の「０」が表示され、ちょうど、時刻の秒レベルに対応する数字を含む表示が「４０秒」を示す状態になったものである。
【００３８】
この実施形態の時刻表示システムにおいて、前記数字を含む表示は、デフォルメされた数字、当該数字で表示される時刻に対応する画像と数字との組み合わせ、模様あるいは図面との数字の組み合わせ、からなるものにすることができる。
【００３９】
例えば、図１における、中央の、時刻の分レベルに対応する数字を含む表示は、時刻の「１８分」を表すものであるが、数字の「８」がデフォルメされたものになっている。図３における、中央の、時刻の分レベルに対応する数字を含む表示は、時刻の「３６分」を表すものであるが、数字の「６」がデフォルメされたものになっている。
【００４０】
図７における、左側の、時刻の時レベルに対応する数字を含む表示は、時刻の「午前８時」を示すものであるが、左側のページに目ざまし時計が置かれている状態になっており、午前８時に対応する画像である「目ざまし時計」と数字「８」の組み合わせになっている。
【００４１】
図８における、左側の、時刻の時レベルに対応する数字を含む表示は、時刻の「午前９時」を示すものであるが、左側のページにコーヒーが入ったコーヒーカップが置かれている状態になっており、午前９時に対応する画像である「コーヒーが入ったコーヒーカップ」と数字「９」の組み合わせになっている。
【００４２】
図９における、左側の、時刻の時レベルに対応する数字を含む表示は、時刻の「１２時」を示すものであるが、左側のページは、サンドイッチが置かれて、サンドイッチを手に取ろうとする状態になっており、正午（１２時）に対応する画像である「サンドイッチが置かれて、サンドイッチを手に取ろうとする状態」と数字「２」の組み合わせになっている。
【００４３】
図４における、右側の、時刻の秒レベルに対応する数字を含む表示は、時刻の「４０秒」を示すものであるが、右側のページは、数字の「０」を認識可能な模様・図形になっていて、数字「４」と、数字の「０」を認識可能な模様・図形との組み合わせになっている。
【００４４】
図５における、右側の、時刻の秒レベルに対応する数字を含む表示は、時刻の「５２秒」を示すものであるが、右側のページは、数字の「２」と、「花」などの模様・図形との組み合わせになっている。
【００４５】
上述した、デフォルメされた数字、数字で表示される時刻に対応する画像と数字との組み合わせ、模様あるいは図面との数字の組み合わせ、から前記数字を含む表示を構成するだけでなく、興趣の高められた時刻表示を行うことに適した時刻表示システム、時刻表示が行われている表示画面が見ている者の興味を引き、時刻表示が行われている表示画面そのものが創意・工夫にあふれた観賞の対象となり得る時刻表示システムを提供するという本発明の目的に沿って、種々の形態に変更することが可能である。
【００４６】
例えば、午後１１時５９分５９秒に連続する１秒間が経過した後、等の所定の時刻には、時刻の時レベルに対応する数字を含む表示、時刻の分レベルに対応する数字を含む表示及び、時刻の秒レベルに対応する数字を含む表示が行われている、共通する背景が、その基本形態に戻るようにすることができる。
【００４７】
例えば、図示しているように、本を開いた状態が共通する背景である場合、午後１１時５９分５９秒に連続する１秒間が経過した後、等の所定の時刻に、前記共通する背景が、いずれも本が閉じられた状態になり、これに連続する１秒間が経過した後、また、本を開いた状態に戻り、時刻の時レベルに対応する数字を含む表示、時刻の分レベルに対応する数字を含む表示及び、時刻の秒レベルに対応する数字を含む表示がそれぞれ対応している時刻を表示するものになるようにすることができる。
【００４８】
このような動作は、本発明の時刻表示システムを制御するコンピュータの制御部があらかじめインストールされているコンピュータプログラムの指示に応じて実行することができる。
【００４９】
また、図１０図示のように、左側の、時刻の時レベルに対応する数字を含む表示が行われている本の開いたページの左側ページが、図面中、左側から吹いてきた風によってめくりあがっている状態になったり、図１４図示のように、虫眼鏡で数字を覗き込んで切る表示にしたり、図１９の、左側の、時刻の時レベルに対応する数字を含む表示が行われている本の開いたページの左側ページが、なにか動物の手のようなものでめくれかかって、眠気に襲われている状態を暗示させるようにすることなどができる。
【００５０】
この実施形態の時刻表示システムにおいて、時刻の時レベルに対応する数字を含む表示、時刻の分レベルに対応する数字を含む表示及び、時刻の秒レベルに対応する数字を含む表示の、上述した、時刻の１秒が経過する時間に対応する変更、時刻の１分が経過する時間に対応する変更、時刻の１時間が経過する時間に対応する変更は、これらの変更が表されている連続画像を予め準備しておいて、本発明の時刻表示システムを制御するコンピュータの制御部があらかじめインストールされているコンピュータプログラムの指示に応じて、当該連続画像を、時刻に連動させて表示させるものとすることができる。
【００５１】
連続画像を複数種類準備しておき、本発明の時刻表示システムを制御するコンピュータの制御部があらかじめインストールされているコンピュータプログラムの指示に応じて、曜日ごとに、あるいは日にちが変わるごとに異なる連続画像による、時刻の時レベルに対応する数字を含む表示、時刻の分レベルに対応する数字を含む表示及び、時刻の秒レベルに対応する数字を含む表示の、上述した、時刻の１秒が経過する時間に対応する変更、時刻の１分が経過する時間に対応する変更、時刻の１時間が経過する時間に対応する変更を表示させることができる。
【００５２】
あるいは、１時間単位、等の所定の時間間隔の連続画像をそれぞれ複数種類準備しておき、本発明の時刻表示システムを制御するコンピュータの制御部があらかじめインストールされているコンピュータプログラムの指示に応じて、１時間単位、等の所定の時間間隔ごとに、前記準備されている複数種類の連続画像の中から選択して表示する形態にすることができる。
【００５３】
また、連続する１秒ごとの静止画データを準備しておき、本発明の時刻表示システムを制御するコンピュータの制御部があらかじめインストールされているコンピュータプログラムの指示に応じて、この静止画データを、時刻に連動させて切り替えて表示画面に表示させることもできる。
【００５４】
この場合、同一の時刻で異なる画像表示が行われる複数の静止画データを準備しておき、本発明の時刻表示システムを制御するコンピュータの制御部があらかじめインストールされているコンピュータプログラムの指示に応じて、出力する静止画データを前記複数の静止画データの中から選択して表示する形態にすることができる。
【００５５】
例えば、図２０と、図２１は、いずれも、午前０時４２分２０秒を表示する画面であるが、時刻の時レベルに対応する数字を含む表示が、図２０（左側の数字０の上に目ざまし時計を置く画像）と、図２１（左側の数字０の上に眼鏡が置かれている）とでは異なっている。このように、複数存在する時刻ごとの静止画データの中から選択して表示する形態にすることができる
以上、添付図面を参照して本発明の好ましい実施形態を説明したが、本発明はかかる実施形態に限定されるものではなく、特許請求の範囲の記載から把握される技術的範囲において種々の形態に変更可能である。
【図１】
0006400348.tif 000002
【図２】
0006400348.tif 000003
【図３】
0006400348.tif 000004
【図４】
0006400348.tif 000005
【図５】
0006400348.tif 000006
【図６】
0006400348.tif 000007
【図７】
0006400348.tif 000008
【図８】
0006400348.tif 000009
【図９】
0006400348.tif 000010
【図１０】
0006400348.tif 000011
【図１１】
0006400348.tif 000012
【図１２】
0006400348.tif 000013
【図１３】
0006400348.tif 000014
【図１４】
0006400348.tif 000015
【図１５】
0006400348.tif 000016
【図１６】
0006400348.tif 000017
【図１７】
0006400348.tif 000018
【図１８】
0006400348.tif 000019
【図１９】
0006400348.tif 000020
【図２０】
0006400348.tif 000021
【図２１】
0006400348.tif 000022
【図２２】
0006400348.tif 000023